(57)【要約】【課題】端子の入出力の機能を自動的に切り替える映像信号処理装置を提供する。【解決手段】映像信号処理装置１であって、入力端子１１と、入力端子から入力された映像信号を変換して変換信号を生成する変換部１２と、変換信号を出力する入出力端子１８と、入出力端子から入力された信号を検知する検知部１４と、検知された信号が制御信号であるか否かを判定する判定部１５と、判定部の判定結果に応じて、変換信号を出力する出力端子１７と、を有してなる、ことを特徴とする。【選択図】図１
2019078856.tif 000002
【特許請求の範囲】
【請求項１】
入力端子と、
前記入力端子から入力された映像信号を変換して変換信号を生成する変換部と、
前記変換信号を出力する第１端子と、
前記第１端子から入力された信号を検知する検知部と、
前記検知された信号が特定信号であるか否かを判定する判定部と、
前記判定部の判定結果に応じて、前記変換信号を出力する第２端子と、
を有してなる、
ことを特徴とする映像信号処理装置。
【請求項２】
前記判定部の判定結果に応じて、前記変換信号を処理して処理信号を生成して前記第２端子に出力する処理部、
を備える、
請求項１記載の映像信号処理装置。
【請求項３】
前記検知された信号が前記特定信号であるとき、前記処理部は、前記特定信号に基づいて、前記処理信号を生成する、
請求項２記載の映像信号処理装置。
【請求項４】
前記検知された信号が前記特定信号でないとき、前記処理部は、前記変換信号を前記第２端子に出力する、
請求項２記載の映像信号処理装置。
【請求項５】
前記特定信号は、同期信号であり、
前記処理部は、前記変換信号を前記同期信号に同期させて前記処理信号を生成する、
請求項２記載の映像信号処理装置。
【請求項６】
前記変換部は、前記映像信号の入力同期周波数を、前記出力端子に接続された出力装置に応じた出力同期周波数に変換する、
請求項２記載の映像信号処理装置。
【請求項７】
前記判定部の判定結果に応じて、前記変換信号を前記第１端子から出力させるか否かを決定する切替部、
を備える、
請求項１記載の映像信号処理装置。
【請求項８】
前記検知された信号が前記特定信号であるとき、前記切替部は、前記変換信号の前記第１端子への出力を停止する、
請求項７記載の映像信号処理装置。
【請求項９】
前記検知された信号が前記特定信号でないとき、前記切替部は、前記変換信号を前記第１端子に出力する、
請求項７記載の映像信号処理装置。
【請求項１０】
前記判定部は、前記検知された信号の周波数スペクトルに基づいて、前記検知された信号が前記特定信号であるか否かを判定する、
請求項１記載の映像信号処理装置。
【請求項１１】
前記検知部が前記信号を検知しないとき、
前記第１端子は、前記変換信号を出力し、
前記第２端子は、前記変換信号を出力する、
請求項１記載の映像信号処理装置。
【請求項１２】
前記変換信号の出力用の第１回路と、
前記特定信号の入力用の第２回路と、
前記判定部の判定結果に応じて、前記第１回路と前記第２回路のいずれかを選択する選択部と、
を備える、
請求項１記載の映像信号処理装置。
【発明の詳細な説明】
【技術分野】
【０００１】
本発明は、映像信号処理装置に関する。
【背景技術】
【０００２】
例えば、ＰＣ（Personal Computer）やビデオカメラなどの映像出力装置から出力された映像をモニタなどの表示装置の画面に表示する場合、スキャンコンバータなどの映像信号処理装置が映像出力装置と表示装置との間に接続される。映像信号処理装置は、入力側の映像出力装置からの信号（映像信号）の周波数を出力側の表示装置に合わせて変換して出力する。映像信号処理装置は、映像出力装置からの映像信号が入力される入力端子と、映像信号を処理した処理信号を出力する出力端子と、を備える。
【０００３】
映像信号処理装置の中には、映像出力装置からの信号を同期信号に同期させて表示装置に出力するものがある。このような映像信号処理装置は、同期信号の発生装置からの同期信号が入力される同期信号入力端子を備える。すなわち、映像信号処理装置は、入力端子と出力端子との２種類の端子に加えて、同期信号入力端子を備える。つまり、映像信号処理装置は、３種類の端子が配置される領域を確保しなければならない。そのため、映像信号処理装置の小型化は、端子の数による制限を受ける。
【０００４】
これまでにも、１つの端子に異なる端子の機能を兼用させることにより、装置を小型化する技術が提案されている（例えば、特許文献１参照）。
【先行技術文献】
【特許文献】
【０００５】
【特許文献１】特開２００２−９４９８２号公報
【発明の概要】
【発明が解決しようとする課題】
【０００６】
特許文献１に開示された装置は、１つの入出力端子と、入出力端子を入力状態に切り替えるスイッチと、を備える。入出力端子は、通常は出力状態であり、スイッチが押下されることにより画像の取り込みが可能な入力状態となり、画像の取り込みが終了すると出力状態に戻る。すなわち、同装置は、出力状態から入力状態への切り替えにスイッチの押下操作を必要とする。そのため、同装置の使用者は、同装置に信号を入力する度にスイッチの押下操作を実行しなければならない。
【０００７】
本発明は、以上のような従来技術の問題点を解消するためになされたもので、端子の入出力の機能を自動的に切り替える映像信号処理装置を提供することを目的とする。
【課題を解決するための手段】
【０００８】
本発明にかかる映像信号処理装置は、入力端子と、入力端子から入力された映像信号を変換して変換信号を生成する変換部と、変換信号を出力する入出力端子と、入出力端子から入力された信号を検知する検知部と、検知された信号が制御信号であるか否かを判定する判定部と、判定部の判定結果に応じて、変換信号を出力する出力端子と、を有してなる、ことを特徴とする。
【発明の効果】
【０００９】
本発明によれば、端子の入出力の機能を自動的に切り替える映像信号処理装置を提供することができる。
【図面の簡単な説明】
【００１０】
【図１】本発明にかかる映像信号処理装置の実施の形態を示す機能ブロック図である。
【図２】図１の映像信号処理装置が出力モードで動作するときの信号の流れを示す機能ブロック図である。
【図３】図１の映像信号処理装置が入力モードで動作するときの信号の流れを示す機能ブロック図である。
【図４】図１の映像信号処理装置の動作モードの切替動作を示すフローチャートである。
【図５】本発明にかかる映像信号処理装置の別の実施の形態を示す機能ブロック図である。
【発明を実施するための形態】
【００１１】
●映像信号処理装置●
以下、図面を参照しながら、本発明にかかる映像信号処理装置（以下「本装置」という。）の実施の形態について説明する。
【００１２】
●映像信号処理装置の構成
図１は、本装置の実施の形態を示す機能ブロック図である。
【００１３】
本装置１は、入力装置２と、出力装置３（３ａ，３ｂ）と、の間に接続され、入力装置２から入力された映像信号を出力装置３に応じて変換して出力する。本装置１は、例えば、スキャンコンバータである。本装置１は、入力端子１１と、変換部１２と、処理部１３と、検知部１４と、判定部１５と、切替部１６と、出力端子１７と、入出力端子１８と、記憶部１９と、を有してなる。
【００１４】
入力装置２は、映像信号を出力する、例えば、ＰＣやビデオカメラなどの映像出力装置である。入力装置２は、入力端子１１に接続される。
【００１５】
出力装置３は、映像信号や後述する処理信号に基づいて映像を表示する、例えば、モニタなどの表示装置である。出力装置３は、出力端子１７や入出力端子１８に接続される。  
【００１６】
後述するように、入出力端子１８には、出力装置３に代えて同期信号生成装置４が接続される場合がある。同期信号生成装置４は、本装置１が入力装置２からの映像信号を表示するタイミングを決定する同期信号を生成して出力する。
【００１７】
同期信号は、例えば、ＮＴＳＣ（National Television System Committee）のブラックバースト信号や、４８０ｉの２値複合同期信号、１０８０ｉの２値・３値複合同期信号、などのいわゆるゲンロック（Generation Lock）信号である。同期信号は、本発明における特定信号である。
【００１８】
入力端子１１は、入力装置２に接続され、入力装置２からの映像信号を受信する。入力端子１１は、映像信号を変換部１２へ出力する。入力端子１１は、例えば、ＢＮＣ（Bayonet Neill Concelman）端子である。映像信号は、例えば、ＳＭＰＴＥ（Society of Motion Picture and Television Engineers）の各規格に準拠したＳＤＩ（Serial Digital Interface）信号である。
【００１９】
なお、本発明における入力端子は、ＨＤＭＩ（登録商標）（High-Definition Multimedia Interface）端子でもよい。また、映像信号は、例えば、ＴＭＤＳ（Transition Minimized Differential Signaling）信号や、ＤＶＩ（Digital Visual Interface）信号でもよい。
【００２０】
変換部１２は、入力端子１１から入力された映像信号を変換して変換信号を生成する。変換部１２は、変換信号を処理部１３と切替部１６とに出力する。変換部１２の動作と、変換信号と、については、後述する。
【００２１】
処理部１３は、判定部１５の判定結果に応じて、変換信号を処理して処理信号を生成する。処理部１３は、判定部１５の判定結果に応じて、変換信号または処理信号のいずれか一方を、出力端子１７に出力する。処理部１３の動作と、処理信号と、については、後述する。
【００２２】
検知部１４は、入出力端子１８から入力された信号を検知する。検知部１４の動作と、入出力端子１８から入力された信号と、については、後述する。
【００２３】
判定部１５は、検知部１４に検知された信号が特定信号であるか否かを判定する。判定部１５の判定結果は、処理部１３と切替部１６とに出力される。判定部１５の動作については、後述する。
【００２４】
切替部１６は、判定部１５の判定結果に応じて、変換信号を入出力端子１８に出力するか否かを決定する。すなわち、切替部１６は、判定部１５の判定結果に応じて、変換信号を入出力端子１８から出力させるか否かを決定する。切替部１６の動作については、後述する。
【００２５】
ここで、変換部１２と処理部１３と検知部１４と判定部１５と切替部１６とは、例えば、ＣＰＵ（Central Processing Unit）、ＭＰＵ（Micro Processing Unit）、ＤＳＰ（Digital Signal Processor）などのプロセッサや、ＡＳＩＣ（Application Specific Integrated Circuit）、ＦＰＧＡ（Field Programmable Gate Array）などの集積回路により構成される。
【００２６】
なお、本発明における変換部と処理部と検知部と判定部と切替部とは、例えば、１つのプロセッサや集積回路で構成されてもよく、あるいは、複数のプロセッサや集積回路で構成されてもよい。
【００２７】
出力端子１７は、判定部１５の判定結果に応じて、変換信号または処理信号を、出力装置３（３ａ）に出力する。出力端子１７は、本発明における第２端子である。出力端子１７は、例えば、ＢＮＣ端子である。
【００２８】
入出力端子１８は、切替部１６からの変換信号を出力装置３（３ｂ）に出力すると共に、後述する同期信号生成装置４からの信号を受信して判定部１５に出力する。すなわち、入出力端子１８は、信号が入力される入力端子としての機能と、信号を出力する出力端子としての機能と、を有する端子である。入出力端子１８は、本発明における第１端子である。入出力端子１８は、例えば、出力端子１７と同規格のＢＮＣ端子である。
【００２９】
記憶部１９は、本装置１が後述する処理を実行するために必要な情報を記憶する。記憶部１９は、例えば、ＲＡＭ（Random Access Memory）、フラッシュメモリなどの半導体メモリ素子、などにより構成される。記憶部１９に記憶される情報については、後述する。
【００３０】
●映像信号処理装置の動作
次に、本装置１の動作について、説明する。本装置１は、出力モードと入力モードとの２つの動作モードを有する。動作モードは、判定部１５の判定結果に応じて、出力モードまたは入力モードのいずれかに切り替えられる。
【００３１】
●出力モード
図２は、本装置１が出力モードで動作するときの信号の流れを示す機能ブロック図である。同図は、入力端子１１に入力装置２が接続され、出力端子１７に出力装置３ａが接続され、入出力端子１８に出力装置３ｂが接続されている状態、すなわち、入出力端子１８に同期信号生成装置４が接続されていない状態での信号の流れを示す。
【００３２】
出力モードは、入出力端子１８が出力端子として機能する動作モードである。本装置１が出力モードのとき、本装置１は、入力端子１１に入力された映像信号を変換して出力装置３に応じた変換信号を生成し、変換信号を出力端子１７と入出力端子１８とから出力する。
【００３３】
変換部１２は、入力装置２からの映像信号の同期周波数（以下「入力同期周波数」という。）を、出力端子１７に接続された出力装置３ａや入出力端子１８に接続された出力装置３ｂに応じた同期周波数（以下「出力同期周波数」という。）に変換することにより、変換信号を生成する。すなわち、変換信号は、映像信号の入力同期周波数を出力機器に応じた出力同期周波数に変換した信号である。入力同期周波数と出力同期周波数との関係は、予め記憶部１９に記憶されている。変換部１２は、変換信号を処理部１３と切替部１６とに出力する。
【００３４】
なお、本発明における変換部は、例えば、ディップスイッチなどの切替操作により、入力同期周波数と出力同期周波数との関係を変更してもよい。
【００３５】
処理部１３は、変換部１２からの変換信号を処理することなく、出力端子１７に出力する。出力端子１７は、変換信号を出力装置３ａに出力する。
【００３６】
一方、切替部１６は、変換部１２からの変換信号を入出力端子１８に出力する。入出力端子１８は、変換信号を出力装置３ｂに出力する。
【００３７】
このように、本装置１が出力モードで動作するとき、本装置１は、変換信号を出力端子１７と入出力端子１８とから出力する。
【００３８】
●入力モード
図３は、本装置１が入力モードで動作するときの信号の流れを示す機能ブロック図である。同図は、入力端子１１に入力装置２が接続され、出力端子１７に出力装置３ａが接続され、入出力端子１８に同期信号生成装置４が接続されている状態での信号の流れを示す。
【００３９】
入力モードは、入出力端子１８が入力端子として機能する動作モードである。本装置１が入力モードのとき、本装置１は、入力端子１１に入力された映像信号を変換して出力装置３に応じた変換信号を生成すると共に、変換信号を入出力端子１８に入力された同期信号に同期させて処理信号を生成し、処理信号を出力端子１７から出力する。
【００４０】
入力モードの変換部１２の動作は、出力モードの変換部１２の動作と同じである。すなわち、変換部１２は、変換信号を生成して、変換信号を処理部１３と切替部１６とに出力する。
【００４１】
処理部１３は、検知部１４と判定部１５とを介して、入出力端子１８から同期信号を受信する。処理部１３は、変換信号を同期信号に同期させて（変換信号の位相を同期信号の位相に合わせて）処理信号を生成し、処理信号を出力端子１７に出力する。出力端子１７は、処理信号を出力装置３ａに出力する。すなわち、本装置１は、同期信号生成装置４からの同期信号に基づいて、いわゆるゲンロック機能を実現する。
【００４２】
一方、切替部１６は、本装置１が入力モードで動作するとき、変換信号を入出力端子１８に出力しない。
【００４３】
●出力モードと入力モードとの切替動作
前述のとおり、本装置１は、判定部１５の判定結果に応じて、出力モードと入力モードとを切り替える。
【００４４】
図４は、本装置１の動作モードの切替動作を示すフローチャートである。
【００４５】
本装置１は、検知部１４を用いて入出力端子１８からの同期信号の有無を検知し、判定部１５と切替部１６とを用いて動作モードを切り替える。
【００４６】
検知部１４は、出力モードと入力モードのいずれのモードにおいても、入出力端子１８からの信号の有無を検知する（Ｓ１）。このとき、検知部１４は、入力装置２から本装置１への映像信号の入力（本装置１から変換信号や処理信号の出力）の有無に関わらず、入出力端子１８からの信号の有無を検知する。検知部１４が検知する信号は、同期信号生成装置４からの同期信号である。
【００４７】
同期信号は、周波数が約１５ｋＨｚ−６４ｋＨｚのアナログビデオ系のコンポジット信号である。そのため、同期信号の周波数は、本装置１が入出力する映像信号（例えば、ＳＤＩ信号）の周波数（約２７０ＭＨｚ−３ＧＨｚ）と比較して、かなり低い。検知部１４は、同期信号の周波数帯域（約１５ｋＨｚ−６４ｋＨｚ）の信号の有無を検知することにより、入出力端子１８からの信号の有無を検知する。
【００４８】
検知部１４が入出力端子１８からの信号を検知しないとき（Ｓ１の「Ｎｏ」）、本装置１は、出力モードで動作する。すなわち、処理部１３は、変換部１２からの変換信号を処理することなく、出力端子１７に出力する（Ｓ２）。切替部１６は、変換部１２からの変換信号を入出力端子１８に出力する（Ｓ３）。つまり、検知部１４が信号を検知しないとき、出力端子１７は変換信号を出力し、入出力端子１８は変換信号を出力する。
【００４９】
なお、出力モードにおける処理部の処理は、切替部の処理と同時に実行されてもよく、あるいは、切替部の処理の後に実行されてもよい。
【００５０】
検知部１４が入出力端子１８からの信号を検知したとき（Ｓ１の「Ｙｅｓ」）、判定部１５は、検知部１４に検知された信号（以下「検知信号」という。）が有効な同期信号か否かを判定する（Ｓ４）。
【００５１】
判定部１５は、検知信号の周波数スペクトラム（周波数スペクトル）に基づいて、検知信号が有効な同期信号か否かを判定する。アナログビデオ系の同期信号の周波数スペクトラムは、約１５ｋＨｚ−６４ｋＨｚにおいて最大になる性質を有する。先ず、判定部１５は、検知信号の周波数スペクトラムを生成する。次いで、判定部１５は、生成した周波数スペクトラムの約１５ｋＨｚ−６４ｋＨｚにおける強度と、検知部１４が検知信号を検知している時間と、を所定の閾値と比較することにより、同期信号の有効性を判定する。閾値は、予め記憶部１９に記憶される。このように、判定部１５が同期信号の周波数帯域に限定して周波数スペクトラムに基づく判定を実行することで、本装置１は、容易に同期信号の有効性を判定することができる。
【００５２】
強度と時間のいずれもが閾値以上のとき（Ｓ４の「Ｙｅｓ」）、判定部１５は、検知信号が有効な同期信号であると判定する。判定部１５は、検知信号が有効な同期信号であるという判定結果（以下「有効判定結果」という。）を処理部１３と切替部１６とに出力する。
【００５３】
判定部１５の判定結果が有効判定結果であるとき（Ｓ４の「Ｙｅｓ」）、本装置１は、入力モードで動作する。すなわち、処理部１３は、入出力端子１８からの同期信号に基づいて処理信号を生成して、処理信号を出力端子１７へ出力する（Ｓ５）。切替部１６は、変換部１２からの変換信号の入出力端子１８への出力を停止する（Ｓ６）。換言すれば、判定部１５の判定結果が有効判定結果であるとき、切替部１６は、変換信号を入出力端子１８から出力させない決定をする。つまり、検知信号が有効な同期信号であるとき、出力端子１７は処理信号を出力し、入出力端子１８は同期信号の入力端子として機能する（信号を出力しない）。
【００５４】
なお、入力モードにおける処理部の処理は、切替部の処理と同時に実行されてもよく、あるいは、切替部の処理の後に実行されてもよい。
【００５５】
強度と時間のいずれかが閾値未満のとき（Ｓ４の「Ｎｏ」）、判定部１５は、検知信号が無効な同期信号（例えば、ノイズ信号）である、すなわち、検知信号が同期信号でないと判定する。判定部１５は、検知信号が無効な同期信号であるという判定結果（以下「無効判定結果」という。）を処理部１３と切替部１６とに出力する。
【００５６】
判定部１５の判定結果が無効判定結果であるとき（Ｓ４の「Ｎｏ」）、本装置１は、出力モードで動作する。すなわち、処理部１３は、変換部１２からの変換信号を処理することなく、出力端子１７に出力する（Ｓ２）。切替部１６は、変換部１２からの変換信号を入出力端子１８に出力する（Ｓ３）。換言すれば、判定部１５の判定結果が無効判定結果であるとき、切替部１６は、変換信号を入出力端子１８から出力させる決定をする。
【００５７】
このように、検知信号が同期信号であるとき、処理部１３は処理信号を生成して同処理信号を出力端子１７へ出力し、切替部１６は変換信号の入出力端子１８への出力を停止する。このとき、入出力端子１８は、有効な同期信号の入力端子として機能する。一方、検知信号が同期信号でないとき、処理部１３は変換信号を出力端子１７へ出力し、切替部１６は変換信号を入出力端子１８へ出力する。このとき、入出力端子１８は、検知信号の入力端子として機能すると共に、変換信号の出力端子として機能する。換言すれば、入出力端子１８は、常に検知信号の入力端子として機能し、判定部１５の判定結果が無効判定結果のとき変換信号の出力端子としての機能も兼ねる。すなわち、本装置１は、判定部１５の判定結果に応じて、入出力端子１８に接続されている装置が同期信号生成装置４か否かを判定し、入出力端子１８の入出力の機能を自動的に切り替える。
【００５８】
●まとめ
以上説明した実施の形態によれば、本装置１は、変換信号を出力する入出力端子１８と、入出力端子１８から入力された信号を検知する検知部１４と、検知信号が同期信号であるか否かを判定する判定部１５と、判定結果に応じて変換信号を出力する出力端子１７と、を備える。本装置１は、判定結果（入出力端子１８に接続された装置からの信号）に応じて、変換信号を出力端子１７から出力するか否かを切り替える。すなわち、本装置１は、入出力端子１８に接続された装置から同期信号が入力されているときは入出力端子１８を入力端子として機能させる。一方、本装置１は、入出力端子１８に接続された装置から同期信号が入力されていないときは入出力端子１８を出力端子として機能させる。このように、本装置１は、入出力端子１８に接続された装置からの信号に応じて、入出力端子１８の入出力の機能を自動的、つまり、従来のようにスイッチの操作など無しに、切り替える。
【００５９】
また、以上説明した実施の形態によれば、本装置１は、処理部１３を備える。処理部１３は、検知信号が同期信号であるとき変換信号を同期信号に同期させて処理信号を生成して出力端子１７に出力し、検知信号が同期信号でないとき変換信号を出力端子１７に出力する。すなわち、処理部１３は、判定結果に応じて、処理信号を生成する。そのため、本装置１は、判定結果（入出力端子１８に接続された装置からの信号）に応じて、変換信号を出力端子１７から出力するか、処理信号を出力端子１７から出力するか、を切り替えることができる。
【００６０】
さらにまた、以上説明した実施の形態によれば、本装置１は、切替部１６を備える。切替部１６は、検知信号が同期信号であるとき変換信号の入出力端子１８への出力を停止し、検知信号が同期信号でないとき変換信号を入出力端子１８に出力する。すなわち、本装置１は、判定部１５の判定結果に応じて、入出力端子１８に接続されている装置が同期信号生成装置４か否かを判定し、入出力端子１８の入出力の機能を自動的に切り替えることができる。
【００６１】
さらにまた、以上説明した実施の形態によれば、切替部１６は、検知信号が同期信号であるとき変換信号の入出力端子１８への出力を停止する。すなわち、本装置１は、出力モードにおいて入出力端子１８からの変換信号の出力を行わない。すなわち、検知部１４は、変換信号に基づくノイズ信号の影響を受けることなく、入出力端子１８からの信号を検知する。また、判定部１５は、変換信号に基づくノイズ信号の影響を受けることなく、検知信号が有効な同期信号か否かを判定することができる。このように、検知部１４の検知精度や判定部１５の判定結果の精度は、向上する。その結果、本装置１は、変換信号に基づくノイズ信号の影響を受けることなく、同期信号の正確な位相を特定することができる。すなわち、本装置１のゲンロック機能の精度は、向上する。
【００６２】
なお、本装置は、出力モードの処理（デジタル信号の出力処理）に適した第１回路と、入力モードの処理（アナログ信号の入力処理）に適した第２回路と、判定部の判定結果に応じて第１回路と第２回路のいずれかを選択する選択部としてのマイクロプロセッサ（Microprocessor）と、を備えてもよい。すなわち、本装置は、検知信号が同期信号でないとき（出力モードのとき）第１回路を用いて動作し、検知信号が同期信号であるとき（入力モードのとき）第２回路を用いて動作する。その結果、本装置は、デジタル信号（変換信号）の影響（ノイズ信号など）を受けることなく、第２回路を用いて同期信号の正確な位相を特定することができる。
【００６３】
また、本装置は、少なくとも１の入出力端子を備えればよく、出力端子の数と入出力端子の数とは、本実施の形態に限定されない。すなわち、例えば、本装置は、複数の入出力端子を備えてもよく、あるいは、入出力端子のみを備えてもよい。この場合、検知部は、各入出力端子からの信号を検知するように構成され、処理部は、出力端子として機能する入出力端子に処理信号または変換信号を出力するように構成される。
【００６４】
さらに、以上説明した実施の形態における本装置は、変換部と処理部とを個別に備えていた。これに代えて、本装置は、変換部と処理部の双方として機能する変換処理部を備えてもよい。
【００６５】
図５は、本装置の別の実施の形態を示す機能ブロック図である。
同図は、本装置１Ａが、変換処理部１０と、入力端子１１と、検知部１４と、判定部１５と、切替部１６と、出力端子１７と、入出力端子１８と、記憶部１９と、を有してなる音声信号処理装置であることを示す。本装置１Ａが備える入力端子１１、検知部１４、判定部１５、切替部１６、出力端子１７、入出力端子１８は、先に説明した実施の形態における本装置１が備える入力端子１１、検知部１４、判定部１５、切替部１６、出力端子１７、入出力端子１８と同様の機能を有する。変換処理部１０は、入力端子１１から入力された映像信号を変換して変換信号を生成すると共に、判定部１５の判定結果に応じて変換信号を処理して処理信号を生成する。すなわち、変換処理部１０は、先に説明した実施の形態における変換部１２としての機能と、処理部１３としての機能と、を備える。変換処理部１０は、判定部１５の判定結果に応じて、変換信号または処理信号のいずれか一方を、切替部１６と出力端子１７とに出力する。
【符号の説明】
【００６６】
１      映像信号処理装置
１１    入力端子
１２    変換部
１３    処理部
１４    検知部
１５    判定部
１６    切替部
１７    出力端子（第２端子）
１８    入出力端子（第１端子）
１９    記憶部
２      入力装置
３      出力装置
４      同期信号生成装置
【図１】
2019078856.tif 000003
【図２】
2019078856.tif 000004
【図３】
2019078856.tif 000005
【図４】
2019078856.tif 000006
【図５】
2019078856.tif 000007
【手続補正書】
【提出日】平成30年2月2日(2018.2.2)
【手続補正１】
【補正対象書類名】特許請求の範囲
【補正対象項目名】全文
【補正方法】変更
【補正の内容】
【特許請求の範囲】
【請求項１】
入力端子と、
前記入力端子から入力された映像信号を変換して変換信号を生成する変換部と、
前記変換信号を出力する第１端子と、
前記第１端子から入力された信号を検知する検知部と、
前記検知された信号が特定信号であるか否かを判定する判定部と、
前記判定部の判定結果に応じて、前記変換信号を出力する第２端子と、
を有してなる、
ことを特徴とする映像信号処理装置。
【請求項２】
前記判定部の判定結果に応じて、前記変換信号を処理して処理信号を生成して前記第２端子に出力する処理部、
を備える、
請求項１記載の映像信号処理装置。
【請求項３】
前記検知された信号が前記特定信号であるとき、前記処理部は、前記特定信号に基づいて、前記処理信号を生成する、
請求項２記載の映像信号処理装置。
【請求項４】
前記検知された信号が前記特定信号でないとき、前記処理部は、前記変換信号を前記第２端子に出力する、
請求項２記載の映像信号処理装置。
【請求項５】
前記特定信号は、同期信号であり、
前記処理部は、前記変換信号を前記同期信号に同期させて前記処理信号を生成する、
請求項２記載の映像信号処理装置。
【請求項６】
前記変換部は、前記映像信号の入力同期周波数を、前記第２端子に接続された出力装置に応じた出力同期周波数に変換する、
請求項２記載の映像信号処理装置。
【請求項７】
前記判定部の判定結果に応じて、前記変換信号を前記第１端子から出力させるか否かを決定する切替部、
を備える、
請求項１記載の映像信号処理装置。
【請求項８】
前記検知された信号が前記特定信号であるとき、前記切替部は、前記変換信号の前記第１端子への出力を停止する、
請求項７記載の映像信号処理装置。
【請求項９】
前記検知された信号が前記特定信号でないとき、前記切替部は、前記変換信号を前記第１端子に出力する、
請求項７記載の映像信号処理装置。
【請求項１０】
前記判定部は、前記検知された信号の周波数スペクトルに基づいて、前記検知された信号が前記特定信号であるか否かを判定する、
請求項１記載の映像信号処理装置。
【請求項１１】
前記検知部が前記信号を検知しないとき、
前記第１端子は、前記変換信号を出力し、
前記第２端子は、前記変換信号を出力する、
請求項１記載の映像信号処理装置。
【請求項１２】
前記変換信号の出力用の第１回路と、
前記特定信号の入力用の第２回路と、
前記判定部の判定結果に応じて、前記第１回路と前記第２回路のいずれかを選択する選択部と、
を備える、
請求項１記載の映像信号処理装置。